(57)【要約】  【課題】  良好な送受信特性を保持してより小型化を図る。  【解決手段】  線路方向を異にする複数のミアンダ構造のアンテナ線路３０、３１を誘電体樹脂材からなる封止体３６により封装しかつ封止体３６から給電端子３２やグランド端子２６を設けてなるアンテナチップ１５と、給電端子３２やグランド端子２６が接続される給電ランド２２やグランドランド２３或いはグランドパターン２７が形成されてアンテナチップ１５を実装するアンテナ基板１４を備える。所定帯域の電波に対する基準受信特性を有する基準アンテナ装置５０の基準アンテナチップ５２と同等のアンテナチップ１５を実装しかつ基準アンテナ基板５１よりも小型化されたアンテナ基板１４に、基準グランドパターン５３と等価特性を有するグランドパターン２７が形成される。  【選択図】  図４
2005117268.tif 000002
【特許請求の範囲】
【請求項１】
線路方向を異にする複数のミアンダ構造或いはヘリカル構造からなるアンテナ線路を誘電体樹脂材からなる封止体により封装するとともに、上記封止体から給電端子やグランド端子或いは開放端子を突出して設けてなるアンテナチップと、
上記給電端子や上記グランド端子或いは上記開放端子がそれぞれ接続される給電ランドやグランドランド或いは固定用ランドやグランドパターンが形成され、上記アンテナチップを主面上に実装するアンテナ基板とを備え、
所定の周波数帯域の電波に対する基準受信特性を有する基準アンテナ装置の基準アンテナチップと同等の上記アンテナチップを実装する上記アンテナ基板が、上記基準アンテナ装置の基準アンテナ基板よりも小型化され、このアンテナ基板に上記基準アンテナ基板の基準グランドパターンと等価特性を有するパターンを形成して上記グランドパターンを構成したことを特徴とするアンテナ装置。
【請求項２】
上記グランドパターンが、上記アンテナ基板に対して第１の主面側から端部を介して第２の主面側へと回り込むようにして形成されることにより、全体の線路長を上記基準グランドパターンと略同等とされたパターンによって構成されたことを特徴とする請求項１に記載のアンテナ装置。
【請求項３】
上記グランドパターンが、多層プリント基板からなる上記アンテナ基板の各層に亘って連続して形成された多層化パターンからなり、全体の線路長を上記基準グランドパターンと略同等とされたパターンによって構成されたことを特徴とする請求項１に記載のアンテナ装置。
【請求項４】
上記グランドパターンが、リアクタンス成分を装荷されて上記基準グランドパターンと等価特性を有するパターンとして構成されたことを特徴とする請求項１に記載のアンテナ装置。
【請求項５】
無線通信モジュールや表示器を有する装置本体部と、
線路方向を異にする複数のミアンダ構造或いはヘリカル構造からなるアンテナ線路を誘電体樹脂材からなる封止体により封装するとともに上記封止体から給電端子やグランド端子或いは開放端子を突出して設けてなるアンテナチップと、上記給電端子や上記グランド端子或いは上記開放端子がそれぞれ接続される給電ランドやグランドランド或いは固定用ランドやグランドパターンが形成されてなり上記アンテナチップを主面上に実装するアンテナ基板とを備え、上記装置本体部と独立して構成されたアンテナ部と、
上記装置本体部に対して上記アンテナ部を所定の間隔を以って離間するようにして連結するとともに、上記無線通信モジュールと上記アンテナチップとを信号伝送線路によって接続しかつ上記グランドパターンをグランド接続するケーブル部とから構成され、
上記アンテナ部が、所定の周波数帯域の電波に対する基準受信特性を有する基準アンテナ装置の基準アンテナチップと同等の上記アンテナチップと、上記基準アンテナ基板よりも小型化された上記アンテナ基板と、上記基準アンテナ基板に形成された基準グランドパターンと等価特性を有するパターンからなる上記グランドパターンとから構成されることを特徴とする携帯型情報端末装置。
【発明の詳細な説明】
【技術分野】
【０００１】
本発明は、手の平サイズの外形を有する小型の携帯型情報端末装置や携帯型電話機（本明細書においては、携帯型情報端末装置と総称する。）及びこの携帯型情報端末装置に好適に用いられるアンテナ装置等に関する。
【背景技術】
【０００２】
携帯型情報端末装置は、情報圧縮技術等のソフトウェア技術の進歩、部品実装技術や高容量記憶技術等のハード技術の進歩或いは無線通信網の整備等に伴い、高機能化、複合機能化、高速処理化或いは小型・軽量化等が図られている。携帯型情報端末装置としては、例えば図１４に示すようなもっぱらパーソナルユースとして用いられるＰＤＡ（Personal Digital Assistant）１００も提供されている。ＰＤＡ１００は、手の平サイズの筐体１０１に、４インチ前後の表示画面を有する液晶表示器１０２や入力操作部１０３が設けられており、文字情報、音声情報或いは画像情報等の授受を行い、これらの入出力情報に対してデジタル処理等を施してその結果を液晶表示器１０２に表示する。
【０００３】
ＰＤＡ１００は、液晶表示器１０２の表示画面上でタッチペンによって情報入力や各種機能の切換等の操作を行うことも可能であり、操作性に優れ、また小型軽量であることから携帯性にも優れるといった特徴を有している。また、ＰＤＡ１００は、個人情報等の各種の文字情報や音声情報或いは画像情報の取り扱いも可能であり、これらの情報データをデジタル処理する。さらに、ＰＤＡ１００には、図示しないがスロット機構が設けられており、筐体１０１に設けたスロットから外部メモリや機能拡張モジュールカード等が挿脱操作される。
【０００４】
ＰＤＡ１００は、有線或いは５．２ＧＨｚ帯域の狭域無線システム、２．４ＧＨｚ帯域の無線ＬＡＮ（Local Area Network）やBluetooth等の近距離無線通信システム等の無線通信機能も備えており、これら通信機能を介してパーソナルコンピュータや携帯電話機等との間で情報授受が行われる。ＰＤＡ１００には、このために内部に無線モジュール等が内蔵されるとともに筐体１０１にアンテナ１０４が設けられている。なお、アンテナ１０４は、図１４において筐体１０１から突出されたロッドアンテナを示しているが、筐体１０１の側面に設けた適宜のアンテナであってもよい。
【０００５】
ＰＤＡ１００においては、上述したロッドアンテナ１０４やストラップアンテナ等に代えて、セラミック誘電体アンテナからなるチップ型アンテナ素子（本明細書においてはアンテナチップと称する。）を内蔵アンテナとして用いることもある。アンテナチップは、一般に体積が４０ｍｍ３と超小型であるが、比較的高価であり、また基板サイズや機器筐体の材質、比誘電率或いは間隔等の条件による電磁界変化の影響を受けて特性変化が生じやすい。また、アンテナチップは、例えばアンテナ線路に容量付加部を設けて小型化を図るようにしても、ある程度の長さを有するアンテナ線路を必要とするために、さらなる小型化に限界がある。
【０００６】
出願人等は、特許文献１や特許文献２によって、上述した一般的なアンテナチップと比較してより小型化を図るとともに受信特性の向上を図った新規なアンテナチップを提供した。かかる先願アンテナチップは、アンテナ線路が、異なる方向形状の複数のミアンダ構造或いはヘリカル構造の線路によって構成されるとともに容量付加部が設けられて構成される。先願アンテナチップは、より低域の周波数帯域において共振動作特性を有することでアンテナ線路の短縮化が図られるようになる。
【０００７】
【特許文献１】特開２００２−１２４８１２号公報
【特許文献２】特開２００２−１９０７０６号公報
【発明の開示】
【発明が解決しようとする課題】
【０００８】
ところで、ＰＤＡ１００においては、無線によって情報等の授受を行う場合に、無線通信特性が損なわれること無く安定した状態で行われることが極めて重要となる。ＰＤＡ１００は、手の平サイズの小型化が図られることによって、使用状態で図１４に示すように筐体１０１を把持した手によってアンテナ１０４が覆われてしまう。ＰＤＡ１００は、このために人体の影響によってアンテナ１０４のアンテナ放射効率が低下し、正確な情報授受が行い得なくなるといった問題があった。
【０００９】
ＰＤＡ１００においては、筐体１０１に対してアンテナ１０４をいかに工夫して設置しても、筐体１０１が小型であるために結局把持した手によってアンテナ１０４が覆われてしまう。また、ＰＤＡ１００においては、アンテナ１０４を伸縮型のロッドアンテナを用いたとしても、必要なアンテナ長を小型の筐体１０１の内部に収納することが困難であるために装置全体が大型化してしまうといった問題がある。
【００１０】
また、ＰＤＡ１００においては、例えばロッドアンテナ１０４に代えてストラップアンテナを用いた場合に、人体に触れる部分が多くそのアンテナ放射効率が低下することで、充分なアンテナ長を有していても全体としての感度が低下しまた不安定となるといった問題があった。また、ストラップアンテナは、首から提げられて胸に接触した状態となることから、例えば背中側からの電波の受信特性が悪くなるといった問題があった。
【００１１】
一方、先願アンテナチップは、上述したようにアンテナ線路の短縮化によりアンテナ装置全体の小型化を図るようにするとともに、広帯域化或いは利得向上等のアンテナ特性も優れているといった特徴を有している。しかしながら、アンテナ装置は、アンテナチップの小型化が図れても、アンテナ基板に所定周波数帯域の電波が良好に受信されるようにする所定のグランド電流を確保するに足るグランドパターンが形成されなければならず、全体の小型化に限界もあった。
【００１２】
ＰＤＡ１００においては、現状仕様においてアンテナチップを有するアンテナ部を用いた場合に、筐体１０１の内部に設けるスペースを確保することは可能である。しかしながら、ＰＤＡ１００は、例えば今後さらなる多機能化、小型化等によって筐体１０１の内部効率を高めるようにした場合に、所定の線路長を有するグランドパターンを形成したアンテナ基板の小型化も図らなければならない。また、ＰＤＡ１００においては、アンテナ部の小型化によって筐体１０１内における構成各部の自由なレイアウト化が図れるようになる。
【００１３】
したがって、本発明は、良好な送受信特性を保持してより小型化を図るアンテナ装置を提供することを目的とする。また、本発明は、良好な送受信特性を保持してより小型化が図られるアンテナ装置を備え、使用状態においてもアンテナ特性が保持される小型軽量かつ信頼性向上が図られた携帯型情報端末装置を提供することを目的とする。
【課題を解決するための手段】
【００１４】
上述した目的を達成する本発明にかかるアンテナ装置は、アンテナチップと、このアンテナチップを搭載するアンテナ基板とを備える。本発明にかかるアンテナ装置は、アンテナチップが、それぞれ線路方向を異にする複数のミアンダ構造或いはヘリカル構造からなるアンテナ線路を誘電体樹脂材からなる封止体により封装するとともに、封止体から給電端子やグランド端子或いは開放端子を突出して設けてなる。本発明にかかるアンテナ装置は、アンテナ基板が、アンテナチップの給電端子やグランド端子或いは開放端子をそれぞれ接続する給電ランドやグランドランド或いは固定用ランドを形成するとともに、グランドパターンが形成されてなり、アンテナチップを主面上に実装してなる。本発明にかかるアンテナ装置は、基準アンテナ装置の基準アンテナチップと同等のアンテナチップを実装するアンテナ基板が、基準アンテナ装置の基準アンテナ基板よりも小型化され、このアンテナ基板に基準アンテナ装置の基準グランドパターンと等価特性を有するパターンを形成してグランドパターンを構成してなる。
【００１５】
以上のように構成された本発明にかかるアンテナ装置においては、アンテナチップが、上述した構造のアンテナ線路によって低域の周波数帯域において共振動作特性を有して小型化が図られるとともに広帯域化が図られ、アンテナ線路を誘電体樹脂材、例えばセラミック−プラスチック複合材料からなる比誘電率εγが１０以上の高誘電体樹脂材料からなる封止体によって封止することで波長短縮効果による小型化が図られる。本発明にかかるアンテナ装置においては、このように小型化したアンテナチップを搭載するアンテナ基板を小型化するともに、このアンテナ基板に形成されたグランドパターンが基準アンテナ装置の基準グランドパターンと等価特性を有するパターンによって構成されることで基準アンテナ装置の基準グランドパターンと同等のグランド電流が保持され、基準アンテナ装置と同等の電圧定在波特性や共振周波数のズレ修正或いは広帯域化が図られるようになる。
【００１６】
また、上述した目的を達成する本発明にかかる携帯型情報端末装置は、無線通信モジュールや表示器を有する装置本体部と、アンテナ基板にアンテナチップを搭載して装置本体部と独立に構成されたアンテナ部と、装置本体部に対してアンテナ部を所定の間隔を以って離間するようにして連結するとともに無線通信モジュールとアンテナチップとを信号伝送線路によって接続しかつグランドパターンをグランド接続するケーブル部とから構成される。本発明にかかる携帯型情報端末装置は、アンテナチップが、それぞれ線路方向を異にする複数のミアンダ構造或いはヘリカル構造からなるアンテナ線路を誘電体樹脂材からなる封止体によって封装するとともに封止体から給電端子やグランド端子或いは開放端子を突出して設けてなり、アンテナ基板が給電端子やグランド端子或いは開放端子をそれぞれ接続する給電ランドやグランドランド或いは固定用ランドやグランドパターンが形成されてアンテナチップを主面上に実装してアンテナ部を構成してなる。本発明にかかる携帯型情報端末装置は、アンテナ部が、所定の周波数帯域の電波に対する基準受信特性を有する基準アンテナ装置の基準アンテナチップと同等のアンテナチップと、基準アンテナ基板よりも小型化されたアンテナ基板と、基準アンテナ基板に形成された基準グランドパターンと等価特性を有するパターンからなるグランドパターンとから構成される。
【００１７】
以上のように構成された本発明にかかる携帯型情報端末装置においては、使用状態においてアンテナ部が装置本体部を把持した手によって覆われることなく自由空間に配置されるようになり、人体の影響によるアンテナ放射効率の低下が抑制されるようになる。本発明にかかる携帯型情報端末装置においては、アンテナ部のアンテナチップが、低域の周波数帯域において共振動作特性を有して小型化及び広帯域化が図られるとともに、アンテナ線路を誘電体樹脂材、例えばセラミック−プラスチック複合材料からなる比誘電率εγが１０以上の高誘電体樹脂材料からなる封止体によって封止することで波長短縮効果による小型化が図られてなる。本発明にかかる携帯型情報端末装置においては、アンテナ部のアンテナ基板が、アンテナチップとともに小型化されてケーブル部の先端に配置される。本発明にかかる携帯型情報端末装置においては、アンテナ基板に形成されたグランドパターンが基準アンテナ装置の基準アンテナ基板に形成された基準グランドパターンと等価特性を有するパターンによって構成されることで、基準アンテナ装置の基準グランドパターンと同等のグランド電流が保持されて基準アンテナ装置と同等の電圧定在波特性や共振周波数のズレ修正或いは広帯域化が図られるようになる。本発明にかかる携帯型情報端末装置によれば、必要に応じてケーブル部を介してアンテナ部を人体から離すようにすることにより、無指向性で全方位的に所定の通信感度が得られるようになる。携帯型情報端末装置によれば、装置本体部をしっかりとかつ任意に把持して操作を行ってもアンテナ放射効率の低下が抑制されることから、使い勝手の向上が図られるようになる。
【発明の効果】
【００１８】
以上詳細に説明したように、本発明にかかるアンテナ装置によれば、受信特性の向上と小型化を図ったアンテナチップを実装するアンテナ基板を基準アンテナ基板に対して小型化して形成するとともに、このアンテナ基板に、基準アンテナ基板に形成した基準グランドパターンと等価特性を有するグランドパターンを形成したことによって、基準アンテナ装置と同等の受信特性を奏して小型化が図られ、携帯型情報端末装置等に好適に用いることが可能となる。
【００１９】
また、本発明にかかる携帯型情報端末装置によれば、使用状態において装置本体部から所定の長さのケーブル部を介してアンテナ部が装置本体部を把持した手によって覆われることなく自由空間に配されることから、アンテナ部に対する人体の影響を低減してアンテナ放射効率の低下が抑制されるようになり、無線通信を介しての情報等の授受が正確に行われるようになる。本発明にかかる携帯型情報端末装置によれば、ケーブル部の先端に基準アンテナ装置と同等の受信特性を奏して小型化が図られたアンテナ部を備えることによって、装置本体から引き出されるアンテナ部によって筐体内における構成各部のレイアウトの自由度或いは全体意匠の自由度が大きくなり、またさらなる多機能化の対応も可能となる。本発明にかかる携帯型情報端末装置によれば、ケーブル部を介してアンテナ部を人体から離すように用いることによって、人体を回り込む電波の受信も可能となり無指向性で全方位的に所定の通信感度が得られるようになる。本発明にかかる携帯型情報端末装置によれば、装置本体部をしっかりとかつ任意に把持して操作を行ってもアンテナ放射効率の低下が抑制されることから、使い勝手の向上が図られるようになる。
【発明を実施するための最良の形態】
【００２０】
以下、本発明の実施の形態として図面に示した携帯型情報端末装置（なお、以下の説明においてＰＤＡと称する。）１について、詳細に説明する。ＰＤＡ１は、図１に示すように、装置本体部２と、この装置本体部２と独立に構成されたアンテナ部３と、これら装置本体部２とアンテナ部３とを所定の長さＬを以って接続するケーブル部４とから構成される。ＰＤＡ１は、有線或いは無線によって、同様の携帯情報端末装置やパーソナルコンピュータ或いは携帯電話機等と接続されて、文字情報、音声情報或いは画像情報等の適宜の情報をデジタル処理して双方向で送受信を行う機能を有しており多目的に使用される。
【００２１】
ＰＤＡ１は、詳細を省略するが装置本体部２内に、内部バスを介して種々の機能回路部が相互に接続されて構成されている。ＰＤＡ１は、例えばＤＲＡＭ（dynamicrandom access memory）やフラッシュメモリ（flash memory）を有する中央処理装置によって全体の制御動作が行われる。ＰＤＡ１は、例えばＵＳＢ（Universal Serial BUS）準拠のコネクタ接続部が設けられて、上述した機器と有線接続されて情報等の授受を行う。ＰＤＡ１は、例えば５．２ＧＨｚ帯域の狭域無線システム、２．４５ＧＨｚ帯域の無線ＬＡＮやBluetooth等の近距離無線通信システムとの無線通信機能を有し、上述した機器と無線接続されて情報等の授受を行う。ＰＤＡ１は、これらの無線送受信部を構成するユニバーサル非同期型レシーバートランスミッタ（UART:univarsal asynchronous receiver transmitter）が内部バスと双方向接続されて中央処理装置によって制御される。
【００２２】
ＰＤＡ１には、上述した無線通信機能に加えて、例えばＩｒＤＡ（Infrared Data Association）準拠の赤外線通信機能を備えるようにしてもよい。また、ＰＤＡ１には、スロット機構が設けられており、カード型の外部メモリ媒体や適宜の拡張機能モジュール体を挿脱操作することによってメモリの増設や各種機能の拡張が図られる。ＰＤＡ１は、例えば衛星位置特定システム（GPS:Global Positioning System）モジュール体及び地図データモジュール体を装填することによってナビゲーション装置としても利用される。
【００２３】
ＰＤＡ１は、図１に示すように、装置本体部２の筐体５に例えば４インチ前後の縦長表示画面を有する液晶表示器６が組み込まれるとともに、この液晶表示器６の表示画面と並んで各種の操作ボタンを配列してなる入力操作部７が設けられている。液晶表示器６は、表示画面上においてペン入力等により各種の制御情報を入力したり表示されたアイコンをタッピングすることによって、適宜の制御信号を入出力するいわゆるタッチパネルとして構成されている。
【００２４】
入力操作部７は、詳細を省略するが例えば電源オン・オフボタンや複数個のスクロールボタン等からなる。入力操作部７は、筐体５の主面ばかりでなく、図示しないが例えば側面等に設けられたジョグダイヤルやスライドボタン等も備える。
【００２５】
ＰＤＡ１は、図示しないがスピーカやマイクロホンを内蔵しており、駆動回路部等を介して音声或いは音響情報を入出力する。また、ＰＤＡ１は、例えばＣＣＤ（Charge-Coupled device）カメラを内蔵しており、撮像画像を液晶表示器６に表示するとともに接続された外部機器に対して伝送する。ＰＤＡ１には、例えばデジタル信号処理プロセッサにＤ／Ａコンバータ（degital/analoｇ  converter）を有する音声処理回路部（音声ＬＳＩ）が双方向接続され、さらにこの音声処理回路部を介して音声出力端末器であるヘッドホンやスピーカが接続される。
【００２６】
ＰＤＡ１は、各機能回路部等からデジタル信号処理プロセッサに対してデジタル音声・音響データが供給されると、直接或いはメモリ内に一次蓄積した後にデジタル信号処理を施すとともに音声処理回路部においてアナログ変換を行って内蔵したスピーカから音声・音響情報を出力する。また、ＰＤＡ１は、内蔵したマイクロホンから入力された音声・音響情報を音声処理回路部においてデジタル変換処理してデジタル信号処理プロセッサへと供給する。ＰＤＡ１は、デジタル信号処理プロセッサにおいて音声・音響情報のデジタル処理を行った後に、音声・音響データを所定の機能回路部に対して内部バスを介して供給する。
【００２７】
ＰＤＡ１は、詳細を省略するがＣＣＤカメラによって撮影した画像情報を処理する画像処理部を備えている。画像処理部は、ＣＣＤカメラと双方向接続されるとともに、内部バスと双方向接続されかつ撮影画像情報や通信接続された相手側から供給された画像情報を一時的に蓄積するキャッシュメモリ（cache memory）やＳＲＡＭ（static random access memory）と双方向接続されている。画像処理部は、ＣＣＤカメラによる撮影画像情報を処理し、例えば内部バスを介して液晶表示器６に表示させる。画像処理部は、例えば相手側から供給された画像データを処理して内部バスを介して液晶表示器６に表示させる。
【００２８】
ＰＤＡ１には、筐体５の内部に上述した中央処理装置や内部バスとともに詳細を省略するが各種の制御部、信号処理部、メモリ部、駆動回路部或いは通信制御部等の電子回路部が備えられている。ＰＤＡ１には、各部に対して電源を供給する充電が可能な二次電池や電源回路部等が設けられている。
【００２９】
筐体５は、適宜の合成樹脂材或いはアルミ材やアルミ合金材等の軽量金属材によって形成された縦長矩形体からなる。筐体５は、図１に示すように手のひらにすっぽりと収まる程度の大きさ、すなわち手の平サイズの外形に形成されている。筐体５には、上述したように液晶表示器６や入力操作部７が設けられるとともに、図２に示すように上述した各機能回路部等を搭載する制御回路基板８が内蔵される。
【００３０】
制御回路基板８には、例えば高周波信号処理部やベースバンド信号処理部或いは変復調処理部やストレージ機能部等からなる無線通信モジュール９が搭載されている。無線通信モジュール９は、従来と同様であることから詳細を省略するが例えば上述した各通信方式や使用周波数帯域等に対して変復調処理以下のベースバンド処理によって対応する、いわゆるソフトウェア・ディファインド・ラジオ（Software Defined Radio）技術の採用により単一化されたモジュールであってもよい。制御回路基板８には、同軸ケーブル１２を接続する同軸コネクタ８ａが搭載されている。
【００３１】
筐体５には、例えば入力操作部７を配置した側の側面部にアンテナ引出部１０が一体に形成されている。アンテナ引出部１０は、一般的な電子機器等において例えばケーブルや電源コード等の引出部と同様に構成された円筒形或いは角筒形を呈してなり、ブッシュ１１をはめ込むことによって後述するケーブル部４を構成する同軸ケーブル１２を抜止めかつ保護して引き出す。アンテナ引出部１０は、ブッシュ１１と共同して同軸ケーブル１２或いは制御回路基板８の接続部に対して引張り力、ねじれ力、曲げ応力或いは回転力等が作用されないようにする。
【００３２】
なお、装置本体部２は、上述した構成に限定されるものでは無いことは勿論であり、例えば筐体５が矩形形状ばかりでなく、卵形等の形状や携帯電話機のように折畳み型に構成されるようにしてもよい。
【００３３】
アンテナ部３は、筐体５から引き出された同軸ケーブル１２の先端部に設けられ、図３及び図４に示すようにケース体１３と、このケース体１３内に収納されたアンテナ基板１４と、このアンテナ基板１４に実装されたアンテナチップ１５とから構成される。アンテナ部３は、ケース体１３内においてアンテナ基板１４にアンテナチップ１５を実装するとともに後述するように給電及びグランド構造を設けて放射機能が完結して構成されることにより、ケーブル部４を介して装置本体部２と電磁的に隔離される。したがって、アンテナ部３は、装置本体部２と相互に電磁的な影響を及ぼし合わない構造となっており、また装置本体部２を把持する手の平の影響も低減して安定したアンテナ特性が奏されるようになっている。
【００３４】
ケース体１３は、合成樹脂材、例えばＡＢＳ樹脂（アクリロ−ニトリル・ブタジエン・スチレン樹脂）によって内部に密閉空間部を構成する全体が涙形の外観を呈して成形される。なお、ケース体１３は、後述するようにＰＤＡ１が使用形態として一種のアクセサリ品としても携帯されることから、例えば透明なアクリル樹脂によって成形することによって内部を透視可能として特徴的な印象を与えるようにしてもよい。ケース体１３は、図３に示すように細径部位が同軸ケーブル１２を抜止めかつ保護して引き出すブッシュ１６をはめ込むケーブル接続部１７を構成する。なお、ケース体１３には、他端側に凹溝１８が形成されており、図１に示すようにリング１９を組み付けることが可能である。リング１９は、例えばＰＤＡ１を図示しないストラップを介して首掛け型として用いる場合に、このストラップが取り付けられる。
【００３５】
ケース体１３は、ＰＤＡ１がユーザがストラップによって首から吊り下げて用いる使用た態様において、ユーザの胸などに接した状態となる。ケース体１３は、この場合に内部に収納したアンテナチップ１５に電磁的導体である人体の影響による特性変化を低減させるように、所定の厚みを有して形成される。ケース体１３は、材料の比誘電率等によってその最適値が多少異なるが、人体とアンテナチップ１５とが約２ｍｍ以上の間隔に保持されるようにする。
【００３６】
アンテナ基板１４には、例えば一般的に用いられるＦＲ４グレード（耐熱グレード４:Flame Retardant Grade）、基板厚が０．３ｍｍ、基板幅が３．８ｍｍ、銅箔層厚１８μｍの耐燃性ガラス基板エポキシ樹脂銅張積層基板が用いられる。なお、アンテナ基板１４には、例えばセラミック基板やＰＥＴ（polyethyene terephthalate）基板等の適宜の基板材も用いてもよい。アンテナ基板１４は、図４に示すようにケース体１３の内部空間に収納される大きさの矩形基板からなり、第１主面１４ａの先端側領域がアンテナチップ１５を実装するアンテナチップ実装領域２０を構成する。アンテナ基板１４は、図６に示すようにアンテナチップ実装領域２０側の端部近傍に固定用ランド２１が形成されるとともに、この固定用ランド２１と対向して互いに幅方向に並んで給電ランド２２やグランドランド２３が形成される。
【００３７】
アンテナ基板１４には、図４及び図６に示すように長さ方向の略中央部に位置して同軸ケーブル１２を接続する同軸コネクタ２４が実装されるとともに、この同軸コネクタ２４の各端子がそれぞれ接続される１個の給電端子ランド２５と、３個のグランド端子ランド２６ａ乃至２６ｃとが形成されている。アンテナ基板１４には、同軸コネクタ２４を挟んでアンテナチップ実装領域２０と対向する領域に、グランドパターン２７が全面に形成されている。
【００３８】
グランドパターン２７は、アンテナ基板１４の第１主面１４ａに形成された第１グランドパターン２７ａと、第２主面１４ｂに形成された第２グランドパターン２７ｂと、この第１グランドパターン２７ａと第２グランドパターン２７ｂとを一体に接続するアンテナ基板１４の端面に形成された連結グランドパターン２７ｃとからなる。グランドパターン２７は、連結グランドパターン２７ｃが例えばめっき工程や蒸着工程等によって適宜形成される。グランドパターン２７は、図６に破線で示すように、第２主面１４ｂにおいて給電ランド２２やグランドランド２３と対向する領域まで延在して形成されることによって充分な線路長を以って形成されている。
【００３９】
アンテナ基板１４においては、図５及び図６に示すように、第２主面１４ｂ側のグランドパターン２７が先端部を二股に分岐され、それらの間にビアを介して給電ランド２２と接続されたマイクロストリップライン構成の給電パターン２８が長手方向に形成されている。アンテナ基板１４においては、給電パターン２８がその先端部においてビアを介して給電端子ランド２５と接続されるとともにグランドパターン２７が二股の基端部においてビアを介してそれぞれグランド端子ランド２６と接続されている。
【００４０】
アンテナ基板１４には、ケース体１３の内部空間に収納するために、上述したように極めて小型の基板が用いられる。アンテナ基板１４には、アンテナチップ実装領域２０に、上述した特許文献１や特許文献２に開示された基本構造を有することによって小型化及び指向性や受信特性の向上を図ったアンテナチップ１５が実装される。アンテナチップ１５は、長さが約１０ｍｍ以内のアンテナチップ実装領域２０に実装される大きさの微小形状に形成される。アンテナチップ１５は、図４及び図５に示すように、アンテナ線路２９が線路方向を互いに直交するようにして形成された第１ミアンダ線路３０及び第２ミアンダ線路３１とから構成され、第１ミアンダ線路３０に給電端子３２及びグランド端子３３とを一体に形成するとともに第２ミアンダ線路３１の先端部に容量付加部３４及び開放端子３５とが一体に形成され、全体を封止体３６によって封装してなる。
【００４１】
アンテナチップ１５は、アンテナ線路２９を異なる線路方向の第１ミアンダ線路３０と第２ミアンダ線路３１とによって構成することにより、線路方向が一定のミアンダ線路と比較して共振周波数帯域の低域化が図られる。したがって、アンテナチップ１５は、線路長を短縮して所定の周波数帯域の電波に対する共振特性を有することで、小型化が図られるようになる。また、アンテナチップ１５は、線路長の短縮によって第１ミアンダ線路３０や第２ミアンダ線路３１の折返し部分間のピッチを充分に確保することが可能となることにより、線路間結合の影響を低減して広帯域特性の向上が図られる。
【００４２】
アンテナチップ１５は、開放端側に位置して幅広の線路からなる容量付加部３４を有することにより、アンテナ線路２９の短縮化が図られている。アンテナチップ１５は、第１ミアンダ線路３０に対して、略中間位置に給電端子３２を形成するともに先端部にグランド端子３３を形成してなる。アンテナチップ１５は、給電端子３２とグランド端子３３との間隔を適宜変えることによってアンテナの入力インピーダンスの調整が図られる。
【００４３】
アンテナチップ１５は、上述したアンテナ線路２９が、比誘電率εγが１０以上の高誘電体樹脂材料からなる封止体３６によって封装される。封止体３６には、例えばセラミック−プラスチック複合材料等が用いられ、上述した給電端子３２やグランド端子３３或いは開放端子３５をそれぞれ突出させてアンテナ線路２９を封装する。アンテナチップ１５は、図５に示すように給電端子３２が給電ランド２２上に、グランド端子３３がグランドランド２３上に、開放端子３５が固定用ランド２１上に位置されて、アンテナチップ実装領域２０上に載置される。アンテナチップ１５は、各端子が各ランドに対して半田付けを施されて、電気的かつ機械的に固定される。
【００４４】
ケーブル部４は、上述した装置本体部２とアンテナ部３との間において、高周波信号の伝送線路を構成する。ケーブル部４は、詳細を図４に示すように同軸ケーブル１２を外装材３７によって被覆してなる。同軸ケーブル１２は、周知のように芯線３８と、この芯線３８に対して絶縁を保持された金属網線３９とからなる。同軸ケーブル１２は、図１及び図２に示すように筐体５の内部に引き込まれた一端側に設けられた同軸コネクタ４０が制御回路基板８に搭載された同軸コネクタ８ａと接続されるとともに、ケース体１３の内部に引き込まれた他端側に設けられた同軸コネクタ４１がアンテナ基板１４に搭載した同軸コネクタ２４と接続される。
【００４５】
同軸ケーブル１２は、ブッシュ１１に保持されてアンテナ引出部１０から装置本体部２側の筐体５の内部に引き込まれる。同軸ケーブル１２は、上述したように制御回路基板８に対してコネクタ接続されるとともに、制御回路基板８に形成した適宜のパターンを介して無線通信モジュール９と接続される。ＰＤＡ１は、例えばアンテナ仕様の変更等に際して、コネクタ接続部を取り外すことによって、アンテナ部３の交換が容易に行われる。
【００４６】
また、同軸ケーブル１２は、ブッシュ１６に保持されてケーブル接続部１７からアンテナ部３側のケース体１３の内部へと引き込まれる。同軸ケーブル１２は、同軸コネクタ２４に同軸コネクタ４１が接続されることにより、図４に示すように芯線３８がアンテナ基板１４に形成した給電端子ランド２５と接続されるとともに、金属網線３９がグランド端子ランド２６と接続される。
【００４７】
ＰＤＡ１においては、上述したようにケーブル部４を介して装置本体部２とアンテナ部３とを分離した構造としたことによって、ユーザが例えばアンテナ部３側を持って装置本体部２をブラブラさせたり回したりするといったように乱暴な取り扱いをする虞もある。ケーブル部４は、このような場合でも同軸ケーブル１２が上述した接続部において剥離や破断を生じることなく、また装置本体部２の筐体５やアンテナ部３のケース体１３との引出部位において破断等を生じないように外装材３７によって保護される。
【００４８】
外装材３７は、機械的強度とある程度の弾性を有することが好ましく、同軸ケーブル１２に対して例えばシリコーン等の合成ゴムをアウトサート成形することによって形成されてなる。なお、外装材３７は、この場合に各ブッシュ１１、１６を両端部の近傍において周回りに一体に成形する。また、外装材３７は、例えばシリコーンを素材として筒状に形成され、その内部に同軸ケーブル１２を貫通させるようにしてもよいことは勿論である。
【００４９】
外装材３７は、合成ゴムに限定されず、適当な合成樹脂材或いは布等によって形成するようにしてもよく、また可撓性を有する螺旋管によって構成するようにしてもよい。螺旋管としては、周知のように軸方向に対して多少の伸縮特性を有する単山のベローズや蛇腹管或いはアニュラー管等が用いられる。螺旋管は、一般にステンレスやクロムニッケルめっき処理を施した鉄材等によって形成され、同軸ケーブル１２の金属網線３９との絶縁が保持される。なお、螺旋管には、必要に応じて外周部に筐体５やケース体１３に両端を固定されて全長を保持しかつ保護用のブレードが被覆される。
【００５０】
ＰＤＡ１においては、上述したように装置本体部２が手の平サイズに形成されることによって、図１に示すように液晶表示器６の画面を手前側にして手の中に包み込まれるようにして把持される。ＰＤＡ１においては、同図に示すようにケーブル部４を介してアンテナ部３が手の平から突出してぶら下がった状態となっている。ＰＤＡ１においては、アンテナ部３が手の平に隠れないようにするためにケーブル部４が所定の長さＬに設定されている。
【００５１】
ＰＤＡ１においては、ケーブル部４を長くすることによって、アンテナ部３を手の平から遠くに位置させてその接触を確実に阻止することが可能となる。ＰＤＡ１においては、ケーブル部４を長くするにしたがって、無線通信モジュール９とアンテナチップ１５との間隔が大きくなってアンテナ特性が次第に低下する。したがって、ＰＤＡ１においては、装置本体部２の筐体５の外形形状にもよるが、ケーブル部４の長さＬを標準的な大きさの手の平で包み込むようにして把持した状態でも先端部のアンテナ部３がユーザの手から突出して触れない程度の長さに設定されてなる。このケーブル部４の長さＬは、例えば基準値を６０ｍｍとして、所定のファクタを考慮して設定される。
【００５２】
ところで、ＰＤＡ１においては、例えば首から吊り下げた状態で使用する場合に、背中の方向から到来する電波が人体で遮られて受信感度が低下する。ＰＤＡ１においては、上述したように装置本体部２とアンテナ部３とを例えば６０ｍｍの長さＬを有するケーブル部４を介して連結したことから、アンテナ部３を伸ばすことによって人体を回り込んだ電波を良好に受信する。なお、ＰＤＡ１においては、この場合にケーブル部４を把持することが好ましい。
【００５３】
一般的なアンテナ装置においては、フローティング構成とすることによってアンテナ放射効率が低下することから、２．４ＧＨｚ帯域を利用する携帯型無線端末装置等に用いられる場合にかかるフローティング構成が採用されることはほとんど無い。また、一般的な携帯型無線端末装置においては、手の平サイズまでに小型化されることによってアンテナを筐体のいずれの場所に設置してもユーザの把持する手に触れてしまう。ＰＤＡ１においては、フローティング構造によるアンテナ放射効率の低下と人体の影響とによるアンテナ放射効率の低下との比較検討により、アンテナ特性の低下が最小限でありかつ使い勝手の向上が図られるように構成されてなる。
【００５４】
ＰＤＡ１は、上述したようにアンテナ部３のケース体１３に凹溝１８を形成してリング１９を取り付けられるように構成されている。したがって、ＰＤＡ１は、このリング１９を利用し、これにスラップを掛け合わせることによりストラップ機能を付与することが可能となる。ＰＤＡ１においては、ストラップを首にかけることによって、収納場所に困らずかつ素早い対応が可能となる。なお、ストラップは、上述した先願装置のようにアンテナ機能を有しておらず、首回りで接触していてもＰＤＡ１のアンテナ放射効率を低下させるといったことは無い。
【００５５】
ところで、ＰＤＡ１においては、アンテナ部３が、例えばブルートゥース用のアンテナとして２．４５ＧＨｚ帯域の電波に対する良好な送受信特性を有するように構成される。ＰＤＡ１においては、上述したようにアンテナ部３がケーブル部４を介して装置本体部２に対して分離されることから、このアンテナ部３をより小型化して構成しなければならない。アンテナ部３は、図７に示すブルートゥース用アンテナとして理想的な特性を有する基準アンテナ装置５０を用意し、この基準アンテナ装置５０とほぼ同等の特性を有してケース体１３内に収納可能な構成に作り込みが行われる。
【００５６】
基準アンテナ装置５０は、図７（Ａ）に示すように、基準アンテナ基板５１に基準アンテナチップ５２が実装されるとともに、基準アンテナ基板５１に基準グランドパターン５３が形成されてなる。基準アンテナ装置５０は、基準アンテナチップ５２が、上述したアンテナ線路２９を有するとともに、このアンテナ線路２９を高誘電体樹脂材からなる封止体３６によって封装することによって高性能かつ小型化が図られてなる。基準アンテナ装置５０は、基準アンテナ基板５１の主面上に、線路長がλ／４の基準グランドパターン５３を形成してなる。
【００５７】
基準アンテナ装置５０は、ブルートゥース用アンテナの最適特性として、図７（Ｂ）に示すように電圧定在波比（VSWR:Voltage Standing Wave Ratio）値が２．４５ＧＨｚで最小となる特性を有している。また、基準アンテナ装置５０は、反射係数Ｓ１１のＶＳＷＲ値を測定した結果が、一例として図７（Ｃ）に示すようにＦ０＝２．４３７ＧＨｚ、ＢＷ（帯域幅：band width）＝１４４ＭＨｚ、ＶＳＷＲ＝１．１２４となる。したがって、基準アンテナ装置５０は、ＶＳＷＲ＜２を満たす周波数帯域幅の範囲が８３．５ＭＨｚ以上であることを要求されるブルートゥース用アンテナとしての要求機能を高度に満足している。しかしながら、かかる基準アンテナ装置５０は、基準アンテナ基板５１がケース体１３よりも大型となってしまうことから、アンテナ部３に用いることはできない。
【００５８】
したがって、アンテナ部３には、上述した基準アンテナ装置５０に代えて、例えば図８に示した比較アンテナ装置５５を用いることが考慮される。比較アンテナ装置５５には、基準アンテナ装置５０の基準アンテナチップ５２が用いられるが、比較アンテナ基板５６を上述したアンテナ基板１４と同等の、ケース体１３の内部に収納可能な大きさに形成してなる。比較アンテナ装置５５は、比較アンテナ基板５６における基準アンテナチップ５２の実装領域の大きさが変わらないことから、比較グランドパターン５７の線路長が短縮化される。
【００５９】
しかしながら、比較アンテナ装置５５においては、比較グランドパターン５７が短縮化されることによって基準アンテナ装置５０と同等のグランド電流を保持し得なくなるために、図８（Ｂ）に示すようにＶＳＷＲ値が最小となる共振周波数の位置ずれが発生してしまう。また、比較アンテナ装置５５においては、反射係数Ｓ１１のＶＳＷＲ値を測定した結果においても同図（Ｃ）に示すように共振位置に大きなずれを生じてしまう。
【００６０】
アンテナ部３は、上述した基準アンテナ装置５０に用いた高性能かつ小型化を図った基準アンテナチップ５２と同等のアンテナチップ１５を備えるとともに、比較アンテナ装置５５に用いたケース体１３の内部に収納可能な大きさを有する比較アンテナ基板５６と同等の大きさのアンテナ基板１４とを備える。アンテナ部３は、グランドパターン２７が基準アンテナ装置５０の基準グランドパターン５３と等価特性を有するように形成されてなる。アンテナ部３は、グランドパターン２７が、上述したようにアンテナ基板１４の第１主面１４ａと第２主面１４ｂとに跨る第１グランドパターン２７ａと第２グランドパターン２７ｂ及び連結グランドパターン２７ｃとからなる。
【００６１】
アンテナ部３は、グランドパターン２７が第１グランドパターン２７ａと第２グランドパターン２７ｂ及び連結グランドパターン２７ｃをそれぞれ所定の長さで形成されることによって、基準グランドパターン５３の線路長と同長に形成される。アンテナ部３は、上述したようにアンテナ基板１４が基準アンテナ基板５１よりも短縮化されているが、グランドパターン２７を全体で基準グランドパターン５３と略同長とすることにより基準アンテナ装置５０と同等のグランド電流が保持されるようになる。したがって、アンテナ部３は、基準アンテナ装置５０と等価的性能を有して構成される。
【００６２】
図９に第２の実施の形態として示したアンテナ部６０は、詳細を省略するが各パターンやランド等を上述したアンテナ基板１４と同様に形成したアンテナ基板６１とアンテナチップ１５とを備えるとともに、このアンテナ基板６１に対してグランド部材６２を接合してなる。グランド部材６２は、例えばアンテナ基板６１とほぼ同幅とされるとともに基準グランドパターン５３と略同長の矩形の薄厚銅板を素材とする。グランド部材６２は、銅板を長さ方向の所定位置において両側部位６２ａ、６２ｂがアンテナ基板６１の厚みとほぼ同等の対向間隔を以って対向するように略コ字状に折曲して形成してなる。
【００６３】
グランド部材６２は、アンテナ基板６１に対してアンテナチップ１５の実装領域と対向する領域に、このアンテナ基板６１を挟み込むようにして組み合わされる。グランド部材６２は、この状態で半田付け処理が施されて、例えば一方部位６２ｂの端部が第２グランドパターン２７ｂと接続される。アンテナ部６０は、基準グランドパターン５３と略同長の線路長を有するグランド部材６２を備えることによって、基準アンテナ装置５０と同等のグランド電流が保持されるようになり、等価性能に構成される。
【００６４】
図１０に第３の実施の形態として示したアンテナ部６５は、アンテナ基板６６に、配線層を多層に形成したいわゆる多層基板が用いられる。アンテナ部６５は、詳細を省略するがアンテナ基板６６の表面層６６ａ、６６ｂにそれぞれ上述したアンテナ基板１４と同様の各パターンやランド等が形成されるとともにグランドパターン６７が形成される。
【００６５】
グランドパターン６７は、アンテナ基板６６の表面層６６ａ、６６ｂにそれぞれ形成される第１グランドパターン６７ａと第２グランドパターン６７ｂ及びアンテナ基板６６の内層に形成される第３グランドパターン６７ｃとから構成される。グランドパターン６７は、第１グランドパターン６７ａと第３グランドパターン６７ｃとを第１ビア６８ａを介して層間接続するとともに、第２グランドパターン６７ｂと第３グランドパターン６７ｃとを第２ビア６８ｂを介して層間接続する。
【００６６】
アンテナ部６５は、上述したように多層基板からなるアンテナ基板６６の内層にも第３グランドパターン６７ｃを形成したことによって、アンテナ基板６６の狭い領域内に基準グランドパターン５３と略同長の線路長を有するグランドパターン６７が形成される。したがって、アンテナ部６５は、グランドパターン６７に基準アンテナ装置５０の基準グランドパターン５３と同等のグランド電流が保持されるようになることで、等価性能に構成される。また、アンテナ部６５は、単層基板からなるアンテナ基板１４と比較して多少厚みが大きくなるが長さや幅を小さくして全体として小型化したアンテナ基板６６により、設計の自由度が向上されるようになる。
【００６７】
上述した各実施の形態においては、アンテナ基板にそれぞれ基準アンテナ装置５０の基準グランドパターン５３の線路長と略同長のグランドパターンを形成してなる。図１１に第４の実施の形態として示したアンテナ部７０は、基準アンテナ装置５０と同様にアンテナ基板１４の第１主面１４ａ或いは第２主面１４ｂのみにグランドパターン７１を形成するとともに、このグランドパターン７１に複数のスリット７２ａ乃至７２ｃを形成してなる。各スリット７２ａ乃至７２ｃは、同図に示すようにそれぞれ一方の側縁部から他方の側縁部に向かって貫通しないようにして交互に形成されることにより、グランドパターン７１を幅狭の蛇行線路として構成してなる。
【００６８】
アンテナ部７０は、上述したようにアンテナ基板１４が基準アンテナ基板５１よりも短縮化されることによって、グランドパターン７１もその線路長が基準グランドパターン５３の線路長よりも短縮化されている。アンテナ部７０は、グランドパターン７１に対して上述した各スリット７２ａ乃至７２ｃを形成したことによって、このグランドパターン７１がリアクタンス成分を装荷されることになる。アンテナ部７０は、各スリット７２ａ乃至７２ｃの数や溝幅等を適宜設定することによって、グランドパターン７１に対して基準グランドパターン５３の線路長を等価的に補うリアクタンス成分が生成されるように構成される。したがって、アンテナ部７０は、グランドパターン７１に基準アンテナ装置５０の基準グランドパターン５３と同等のグランド電流が保持されるようになり、等価性能に構成される。
【００６９】
図１２に第５の実施の形態として示したアンテナ部７５も、上述したアンテナ部７０と同様に小型化されたアンテナ基板１４の第１主面１４ａ或いは第２主面１４ｂのみにグランドパターン７６が形成され、このグランドパターン７６の端部にリアクタンス成分装荷部７７が形成されてなる。アンテナ部７５は、アンテナ基板１４の端部に沿ってグランドパターン７６の一部に幅狭の蛇行線路（ミアンダ線路）を形成することによってリアクタンス成分装荷部７７を構成してなる。
【００７０】
アンテナ部７５は、リアクタンス成分装荷部７７の線路幅や折り返し回数等を適宜設定することによって、グランドパターン７６に対して基準グランドパターン５３の線路長を等価的に補うリアクタンス成分が生成されるように構成される。したがって、アンテナ部７５は、グランドパターン７６に基準アンテナ装置５０の基準グランドパターン５３と同等のグランド電流が保持されるようになり、等価性能に構成される。
【００７１】
なお、上述したアンテナチップ１５は、アンテナ線路２９が線路方向を互いに直交するようにして形成された第１ミアンダ線路３０と第２ミアンダ線路３１とから構成したが、例えば図１３に示したアンテナ線路構成のアンテナチップ８０も用いられる。すなわち、アンテナチップ８０は、アンテナ線路８１が、螺旋に進行する立体形状の第１ヘリカル線路８２と第２ヘリカル線路８３とから構成される。アンテナチップ８０は、これら第１ヘリカル線路８２と第２ヘリカル線路８３とが螺旋の線路方向を互いに直交するようにして形成されてなる。
【００７２】
アンテナ線路８１は、第１ヘリカル線路８２に給電端子８４とグランド端子８５とが形成され、第２ヘリカル線路８３の先端が開放されてなる。アンテナ線路８１は、第１ヘリカル線路８２に対して第２ヘリカル線路８３が長尺線路として構成されることにより、広帯域化が図られている。アンテナ線路８１は、給電端子８４やグランド端子８５或いは固定端子８６を露出させて、全体が比誘電率εγが１０以上の高誘電体樹脂材料からなる封止体８７によって封止されることによりアンテナチップ８０を構成する。
【００７３】
なお、上述した実施の形態においては、ＰＤＡ１を示したが、例えば携帯電話機や無線通信機能を有する各種の携帯端末器であってもよいことは勿論である。実施の形態においては、アンテナ部３のアンテナ素子としてアンテナチップ１８を用いたが、例えばアンテナ基板１５を利用して逆Ｆ型等の適宜の形状に形成されたパターンアンテナによりアンテナ素子を構成してもよいことは勿論である。
【図面の簡単な説明】
【００７４】
【図１】本発明の実施の形態として示すＰＤＡの使用状態の説明図である。
【図２】同ＰＤＡの要部縦断面図である。
【図３】アンテナ部の縦断面図である。
【図４】アンテナ部の内部構造を説明する要部斜視図である。
【図５】アンテナチップのアンテナ線路の構成を説明する要部斜視図である。
【図６】アンテナ部の一部省略平面図である。
【図７】基準アンテナ装置の説明図であり、同図（Ａ）は要部構成図、同図（Ｂ）はＶＳＷＲ特性図、同図（Ｃ）は反射係数Ｓ１１のＶＳＷＲ値を測定した結果の図である。
【図８】ケース体に収納可能とされるアンテナ装置の説明図であり、同図（Ａ）は要部構成図、同図（Ｂ）はＶＳＷＲ特性図、同図（Ｃ）は反射係数Ｓ１１のＶＳＷＲ値を測定した結果の図である。
【図９】第２の実施の形態として示すアンテナ部の側面図である。
【図１０】第３の実施の形態として示すアンテナ部の要部縦断面図である。
【図１１】第４の実施の形態として示すアンテナ部の要部平面図である。
【図１２】第５の実施の形態として示すアンテナ部の要部平面図である。
【図１３】他のアンテナチップのアンテナ線路の構成を説明する要部斜視図である。
【図１４】従来のＰＤＡの使用状態の説明図である。
【符号の説明】
【００７５】
１  ＰＤＡ、２  装置本体部、３  アンテナ部、４  ケーブル部、５  筐体、６  液晶表示器、７  入力操作部、８  制御回路基板、９  無線通信モジュール、１０  アンテナ引出部、１２  同軸ケーブル、１３  ケース体、１４  アンテナ基板、１５  アンテナチップ、２０  アンテナチップ実装領域、２１  固定用ランド、２２  給電ランド、２３  グランドランド、２４  同軸コネクタ、２５  給電端子ランド、２６  グランド端子ランド、２７  グランドパターン、２８  給電パターン、２９  アンテナ線路、３０  第１ミアンダ線路、３１  第２ミアンダ線路、３２  給電端子、３３  グランド端子、３４  容量付加部、３５  開放端子、３６  封止体、３８  芯線、３９  金属網線、４０，４１  同軸コネクタ、５０  基準アンテナ装置、５１  基準アンテナ基板、５２  基準アンテナチップ、５３  基準グランドパターン、５５  比較アンテナ装置、６０  アンテナ部、６５  アンテナ部、７０  アンテナ部、７５  アンテナ部、８０  アンテナチップ
【図１】
2005117268.tif 000003
【図２】
2005117268.tif 000004
【図３】
2005117268.tif 000005
【図４】
2005117268.tif 000006
【図５】
2005117268.tif 000007
【図６】
2005117268.tif 000008
【図７】
2005117268.tif 000009
【図８】
2005117268.tif 000010
【図９】
2005117268.tif 000011
【図１０】
2005117268.tif 000012
【図１１】
2005117268.tif 000013
【図１２】
2005117268.tif 000014
【図１３】
2005117268.tif 000015
【図１４】
2005117268.tif 000016